(57)【要約】【課題】  切り屑や粉じんをフィルタに捕集するための粉じん吸入口を配設した面の左右面のいずれか１面にベルトの通し穴を配設することで切り屑や粉じんを効率良く集じんできるとともに、ベルトを挿入するための通し穴を上下２か所以上配置することで集塵バッグを身体の左右どちら側でも装着することができ作業しやすくなる集塵バッグを提供することである。【解決手段】  切り屑や粉じんをフィルタに捕集するための粉じん吸入口を配設した面の左右面のいずれか１面にベルトの通し穴を配設するとともに、ベルトを挿入するための通し穴を上下２か所以上配置することにより達成することができる。【選択図】  図１
2014083666.tif 000002
【特許請求の範囲】
【請求項１】
ディスクグラインダや丸のこの集じん機能付き電動工具等に接続される接続部と、前記接続部を介して搬送される切り屑や粉じんを捕集するためのフィルタを収容する本体を備え、前記本体を作業者の身体に装着するベルトが取り付けられる集塵バッグにおいて、
前記ベルトの前記本体に対する取付状態を変更可能とし、作業者の身体への装着面に対する前記接続部の延出方向を選択できるよう構成したことを特徴とする集塵バッグ。
【請求項２】
前記接続部は、前記本体に対して少なくとも作業者の左側から延出する方向と、作業者の右側から延出する方向とを選択可能に構成されていることを特徴とする請求項１に記載の集塵バッグ。
【請求項３】
前記本体は、前記ベルトを選択的に取り付け可能な複数の取付部を備えることを特徴とする請求項１または請求項２に記載の集塵バッグ。
【請求項４】
前記複数の取付部は、前記本体の上下方向に離間して設けられることを特徴とする請求項３に記載の集塵バッグ。
【請求項５】
前記本体は、前記ベルトを左右方向に延在して取り付け可能であることを特徴とする請求項１乃至請求項４のうち何れか一項に記載の集塵バッグ。
【請求項６】
前記本体は、前記ベルトを前記作業者への装着面に取り付け可能であることを特徴とする請求項１乃至請求項５のうち何れか一項に記載の集塵バッグ。
【請求項７】
前記本体の上面側又は下面側は、前記フィルタを脱着可能とする開放可能な蓋として構成されていることを特徴とする請求項１乃至請求項６のうち何れか一項に記載の集塵バッグ。
【請求項８】
請求項１〜請求項７のいずれかに記載の集塵バッグを有することを特徴とする集塵アダプター若しくは集塵アダプターを備えた動力工具。
【発明の詳細な説明】
【技術分野】
【０００１】
本発明は、研削機や切断機等の動力工具に用いられる集塵バッグ、集塵バッグを備えた集塵アダプターおよび動力工具に関する。
【背景技術】
【０００２】
先端工具を動力源により回転駆動して被加工物を加工する動力工具には、研削機や切断機がある。研削機は、砥石を先端工具として被加工物を研削加工する動力工具であり、ディスクグラインダーやディスクサンダーとも言われる。切断機は、円板形の鋸刃を先端工具として被加工物を切断加工する動力工具であり、丸鋸とも言われる。  例えば、コンクリート材や硬質系窯業材を切断または研削するためのディスクグラインダーにおいては、ダイヤモンドカッタやダイヤモンドカップホイール等の刃具を先端工具として被加工物の切断や研削加工が行われている。切断作業や研削作業には多くの切り屑や粉塵が発生するので、粉じんの飛散を防止するために粉じん拡散防止用の集塵カバーをディスクグラインダーに装着することがある。集塵カバーは刃具を覆うようにしてディスクグラインダーに装着され、集塵カバーの内部に発生した粉じんを粉じん排出口から外部に案内する。集塵カバーの粉じん排出口にはホースやダクトが取り付けられ、ホースやダクトの他端側に取り付けられた集塵バッグに案内され、切り屑や粉じんは集塵バッグの内部のフィルタによって捕集される。
【０００３】
従来の集塵バッグについて図１１〜図１４を用いて説明する。図１１は集塵バッグの右側取付け時の使用実施例、図１２は集塵バッグの左側取付け時の使用実施例、図１３は集塵バッグの内部構造図、図１４は集塵バッグ及び動力工具全体の構成である。
【０００４】
集塵バッグ１０１には、切り屑や粉じんをフィルタ１１４に捕集するための粉じん吸入口１１８がバッグ上面に配置され、作業者７の腰に接する装着面１０２には、ベルト３を挿入するための図示しない通し穴が一か所設けられている。粉じん吸入口１１８は上部の延長ホース１２と粉じん吸入口１１８が倒れ防止のために、粉じん吸入口１１８の面と同じ面積のプレート１２０を粉じん吸入口１１８に固着させることによりフィルタ１１４の補強板の接着部剥離防止を図っている。通し穴は、装着面１０２のうち、バッグ上面に近い上方側に偏らせて設けられ、作業者７が装着した状態で粉塵が収容されて重量が増加したフィルタ１１４を上方から吊るすような位置となっている。粉じん吸入口１１８がバッグ上面に配置されていることから、作業者７は、集塵バッグ１０１を身体に装着した状態で、集塵バッグ１０１と電動工具８との間に延在する延長ホース１２が身体の左右どちら側を通るかを任意に選択することができる。
【先行技術文献】
【特許文献】
【０００５】
【特許文献１】特開２００７−４４８５４号公報
【発明の概要】
【発明が解決しようとする課題】
【０００６】
上記した従来の集塵バッグにおいて、切り屑や粉じんの捕集量が増えると、集塵バッグは重みで動かなくなり、上部の延長ホースと粉じん吸入口が倒れ、やがてはフィルタの補強板を接着する接着部が剥離し、そこから切り屑や粉じんが漏れだしてしまうという可能性があった。また、粉じん吸入口に設けられたプレートが高価であり、製品価格の上昇に繋がるという問題があった。更には、切り屑や粉じんをフィルタに捕集するための粉じん吸入口を上面に配置することで、切り屑や粉じんは一度高い位置まで吸い込まなくてはならないため、延長ホース内の風量が大きくないと十分に切り屑や粉じんを吸い込めないという問題があった。
【０００７】
本発明の目的は、上記従来の欠点を解消し、安価な構成でありながら高い集塵性能を備えた集塵バッグを提供することにある。
【課題を解決するための手段】
【０００８】
本発明の集塵バッグは、ディスクグラインダや丸のこの集じん機能付き電動工具等に接続される接続部と、前記接続部を介して搬送される切り屑や粉じんを捕集するためのフィルタを収容する本体と、前記本体を作業者の身体に装着するベルトが取り付けられる集塵バッグにおいて、前記ベルトの前記本体に対する取付状態を変更可能とし、作業者の身体への装着面に対する前記接続部の延出方向を選択できるよう構成したことを特徴とする。
【発明の効果】
【０００９】
本発明の集塵バッグによれば、前記ベルトの前記本体に対する取付状態を変更可能とし、作業者の身体への装着面に対する前記接続部の延出方向を選択できるよう構成したことで、集塵バッグを身体の左右どちら側でも装着することができ作業しやすくなる集塵バッグが提供できる。
【図面の簡単な説明】
【００１０】
【図１】本発明の集塵バッグの斜視図。
【図２】本発明の集塵バッグの右側取付け時のベルト通し図。
【図３】本発明の集塵バッグの右側取付け時の使用実施例。
【図４】本発明の集じん機能付き電動工具の粉じん排出口が右側にある場合の側面図。
【図５】本発明の集塵バッグの左側取付け時のベルト通し図。
【図６】本発明の集塵バッグの左側取付け時の使用実施例。
【図７】本発明の集じん機能付き電動工具の粉じん排出口が左側にある場合の側面図。
【図８】本発明の集塵バッグ装着時の実施例。
【図９】本発明の集塵バッグ使用時の実施例。
【図１０】本発明の集塵バッグの使用時の集塵バッグ傾き。
【図１１】従来の集塵バッグの右側取付け時の使用実施例。
【図１２】従来の集塵バッグの左側取付け時の使用実施例。
【図１３】従来の集塵バッグの使用時の集塵バッグ傾き。
【図１４】従来の集塵バッグ装着時の実施例。
【発明を実施するための形態】
【００１１】
以下、本発明の実施の形態を図面に基づいて詳細に説明する。図４に示す動力工具は、携帯型つまり手持ち式の研削機８であり、この研削機８は、例えば、コンクリートや石材等を被加工物としてその表面を研削加工するために使用され、ディスクグラインダーやディスクサンダーとも言われる。
【００１２】
研削機８は円筒形状のモータケースと、その先端部に取り付けられるギヤケースとを有し、モータケースの内部には電動モータが動力源として収容される。電動モータはモータケースの後端部から引き出される図示しない電源コードを介して商用電源に接続され、商用電源から供給される電力により駆動される。電動モータの回転軸にはベベルギヤが取り付けられ、このベベルギヤと噛み合うベベルギヤが回転軸に直角に配置されたスピンドルつまり出力軸に取り付けられており、出力軸は電動モータにより回転駆動される。出力軸の先端には、例えば先端工具としてカップ型の砥石ホイールが取り付けられる。
【００１３】
研削機８には、砥石ホイールの外周と研削機８側の端面を覆う集塵アダプターが着脱自在に装着されている。集塵アダプターには、可撓性を有する延長ホース１２とこれに接続される集塵バッグ１又は集塵バッグ１が直接取り付け可能な円筒状の吐出口９が形成されており、図９に示すように、砥石ホイールによる研削作業によって発生する粉じん１１を含む空気流が排出される粉塵空気流は、吐出口９を介して集塵アダプターの外部の集塵バッグ１に排出されて回収され、粉じん１１の周囲への飛散が抑制される。尚、集塵アダプターには、前記作業により発生する粉じん１１を外部へと排出する空気流を生じさせる図示しない集塵ファンが内蔵される。
【００１４】
ここで、本発明に係る上記集塵バッグ１の構成と作用を図面に基づいて説明する。
【００１５】
図１に示すように、集塵バッグ１は、砥石ホイールによる研削作業によって発生する粉じん１１を回収するためのものであって、四面を構成する側壁と側壁を接続する上面１８及び下面からなる略箱状に形成され、内部には図示しないフィルタ１４が収容されている。ここで、集塵バッグ１は空気を通過させる粗いメッシュ状の布によって柔軟に形成され、装着面２を除いた三面に連続して設けられたファスナー１９を開閉することで上面１８が開閉可能な蓋として構成される。又、フィルタ１４としては、空気だけが通過できる程度の目粗さを有する和紙製の紙袋や合成繊維製フィルター袋等が使用される。
【００１６】
集塵バッグ１の側面５には、延長ホース１２等と接続可能な円筒状の粉じん吸入口６が設けられている。粉じん吸入口６は、集塵バッグ１を作業者の腰に装着したとき、正面から見た左右面５の何れか一面に配設されている。言い換えれば、粉じん吸入口６と隣接する側面のうち一方の面には、作業者の腰に位置する装着面２が設けられている。粉じん吸入口６は、左右面５に略垂直に集塵バッグ１から離れる方向に延びて構成されており、集塵バッグ１の内部に設けられたフィルタ１４の集塵室に連通し、集塵カバーの吐出口９から吐出された粉じん空気流は粉じん吸入口６を介して集塵室内に供給される。
【００１７】
集塵バッグ１の左右面５と隣接した一面は、作業者が装着した状態で腰に接触する装着面２となっている。装着面２には、作業者を身体に装着するためのベルト３が挿通する上側通し穴４ａと下側通し穴４ｂが設けられている。ベルト３は、通し穴より若干幅が細く形成され、両端に相互に係止可能な公知の差込式バックル２０ａ，２０ｂが取り付けられている。
【００１８】
上側通し穴４ａと下側通し穴４ｂは、平行に延びて縫い付けられる２本の帯状の布と装着面２との間に形成された隙間によって構成されている。上側通し穴４ａと下側通し穴４ｂは、作業者の任意により選択することができ、それぞれ装着面２内で中心から上側と下側に偏って設けられている。言い換えれば、上側通し穴４ａと下側通し穴４ｂは、装着面２の平面視において粉じん吸入口６の円筒の延びる方向と垂直な方向に離間して配設されている。
【００１９】
上側通し穴４ａにベルト３が挿通されたときは、集塵バッグ１は下面が下を向いた状態で安定して吊り下げられ、下側通し穴４ｂにベルト３が挿通されたときは、集塵バッグ１は反転して上面１８が下を向いた状態で安定して吊り下げられる。従って、集塵バッグ１の装着面２を正面に見て、ベルト３を上側通し穴４ａに通した時は粉じん吸入口６は左側となり、集塵バッグ１のベルト３によって図３に示すように作業者７の右側の腰部に集塵バッグ１を位置決めし、身体に装着することができる。このような構成は、例えば、図４に示すように集じん機能付き電動工具８を持った時に粉じん排出口９が右側にある場合に使用される。
【００２０】
また、図５に示すように、集塵バッグ１の装着面２を正面に見て、ベルト３を下側通し穴４ｂに通した時は粉じん吸入口６は右側となり、図６に示すように作業者７の左側に集塵バッグ１を位置決めし、集塵バッグ１のベルト３で身体に装着することができる。この装着は、図７に示すように集じん機能付き電動工具８を持った時に粉じん排出口９が左側にある場合に使用される。
【００２１】
以上のように、作業者は、作業形態や取り付ける工具の形状に応じて上側通し穴４ａと下側通し穴４ｂを任意に選択することができ、作業者の背面に配置された状態で、ベルト３の取付面２に対する取付状態を変更することで、作業者の左側から延長ホース１２が通るか、右側から通るかを選択的に切り替えることが可能となっている。
【００２２】
すなわち、本発明の集塵バッグ１によれば、切り屑や粉じんをフィルタ１４に捕集するための粉じん吸入口６を配設した面の左右面のいずれか１面にベルト３の通し穴を配設することで切り屑や粉じんを効率良く集じんできるとともに、ベルト３を挿入するための通し穴を上下２か所以上配置することで、集塵バッグを身体の左右どちら側でも装着することができ作業しやすくなる集塵バッグが提供できる。
【００２３】
研削作業において、図８に示すように被削材１０から出た切り屑や粉じん１１は、集じん機能付き電動工具８の粉じん排出口９と延長ホース１２のホース取付け部１３ａを挿入し、集塵バッグ１の粉じん吸入口６と延長ホース１２のもう一端のホース取付け部１３ｂを挿入して接続された延長ホース１２を介して集塵バッグ１内に装着されたフィルタ１４に捕集される。
【００２４】
ここで、図９に示すように、作業中は集塵バッグ１の装着面２を正面に見た時の左右面５に粉じん吸入口６を配設することで、被削材１０と粉じん吸入口６の高低差が抑えられ、切り屑や粉じん１１をスムーズに集塵バッグ１に捕集することが可能となる。
【００２５】
また、図１０に示すように、作業中に吸入した切り屑や粉じん１１がフィルタ１４に溜まり、フィルタ底部１５が重みで動かなくなり、延長ホース１２の重みで粉じん吸入口６が倒れても、フィルタ１４と厚紙１６の厚紙接着面１７が倒れる量が少ないため剥離しにくくなる。更に、剥離防止用のプレートを設ける必要が無いことから、集塵バッグ１を安価に提供することが可能となる。
【００２６】
本発明は前記実施の形態に限定されるものではなく、その要旨を逸脱しない範囲で種々の変更が可能である。例えば、ベルト３の取付部が作業者と反対側を向く面の上方にも設けられ、上面１８が上を向いたまま回転した位置で作業者が装着可能としてもよい。また、集塵バッグ１は、ベルト３の取付部として上側通し穴４ａと下側通し穴４ｂの二つを備える構成としたが、二つ以上であってもよい。また、上側通し穴４ａと下側通し穴４ｂは作業者への装着面に設けられる構成としたが、それぞれが上面及び下面に設けられていてもよい。また、集塵バッグは必ずしも専用のベルト３を備えた構成でなくともよく、作業者の衣服に取り付けられたベルトを通し穴に通すようにしてもよい。
【００２７】
また、本発明の実施形態においては、集塵バッグ１が研削機８に装着された場合を示すが、集塵バッグを切断機に装着し、切断時に発生する粉塵を集塵バッグにより収集するようにしても良い。動力工具としての研削機８は電動モータにより回転軸を駆動するようにしているが、エアモータにより回転軸を駆動するようにしたタイプの研削機等の動力工具にも集塵アダプターや集塵バッグを使用することができる。
【符号の説明】
【００２８】
１は集塵バッグ、２は装着面、３はベルト、４ａは上側通し穴、４ｂは下側通し穴、５は左右面、６は粉じん吸入口、７は作業者、８は集じん機能付き電動工具、９は粉じん排出口、１０は被削材、１１は切り屑や粉じん、１２は延長ホース、１３ａはホース取付け部、１３ｂはもう一端のホース取付け部、１４はフィルタ、１５はフィルタ底部、１６は厚紙、１７は厚紙接着面、１８は蓋面、１９はファスナー、２０ａ，２０ｂはバックルである。
【図１】
2014083666.tif 000003
【図２】
2014083666.tif 000004
【図３】
2014083666.tif 000005
【図４】
2014083666.tif 000006
【図５】
2014083666.tif 000007
【図６】
2014083666.tif 000008
【図７】
2014083666.tif 000009
【図８】
2014083666.tif 000010
【図９】
2014083666.tif 000011
【図１０】
2014083666.tif 000012
【図１１】
2014083666.tif 000013
【図１２】
2014083666.tif 000014
【図１３】
2014083666.tif 000015
【図１４】
2014083666.tif 000016